(57)【要約】【課題】簡単な構成でありながら、給紙カセットを装置本体に挿入する際におけるフラッパのロック解除時の衝撃を緩和し得る新規な画像形成装置を提供することを目的とする。【解決手段】多数枚の用紙を堆積し得る給紙カセット５を、装置本体１のカセット収納部２ａに挿脱自在に備える画像形成装置Ａであって、フラッパ８を所定の押下げ位置に維持する為のロック手段１０とそのロック解除手段１１とは、給紙カセット５がカセット収納部２ａに挿入される過程において、上記フラッパ８の所定の押下げ位置でのロックを解除した後上昇途中の位置にフラッパ８を一時的に係止し、挿入完了時には該係止を解除するような関係に構成されていることを特徴とする。【選択図】図２
2007008684.tif 000002
【特許請求の範囲】
【請求項１】
多数枚の用紙を堆積し得る給紙カセットを、装置本体のカセット収納部に挿脱自在に備える画像形成装置であって、
上記給紙カセットは、弾性付勢部材によって上向き付勢された上下揺動可能なフラッパと、該フラッパが上記弾性付勢部材の付勢力に抗して押下げられた時、所定の押下げ位置にフラッパを維持するロック手段とを備え、上記カセット収納部内には、給紙カセットが挿入された時、上記ロック手段を解除するロック解除手段が設けられ、
上記ロック手段には、上記給紙カセットをカセット収納部に挿入する際、上記フラッパを一時的に係止する一時係止部が形成されていることを特徴とする画像形成装置。
【請求項２】
請求項１に記載の画像形成装置において、
前記ロック手段とロック解除手段とは、給紙カセットがカセット収納部に挿入される過程において、上記フラッパの所定の押下げ位置でのロックを解除した後上昇途中の位置にフラッパを一時係止部で一時的に係止し、挿入完了時には該係止を解除するような関係に構成されていることを特徴とする画像形成装置。
【請求項３】
請求項１又は２に記載の画像形成装置において、
前記一時係止部による前記フラッパの一時係止は、前記ロック手段が前記ロック解除手段に接触しているときになされることを特徴とする画像形成装置。
【請求項４】
請求項１乃至３のいずれかに記載の画像形成装置において、
前記一時係止部による係止は、前記フラッパの上下揺動範囲の略中間位置でなされることを特徴とする画像形成装置。
【請求項５】
請求項１乃至４のいずれかに記載の画像形成装置において、
前記ロック手段は、給紙カセットの筐体に水平ピン周りに回動可能に取付けられた作動部材と、該作動部材を待機位置に維持させる弾性部材とよりなり、上記作動部材は、フラッパが押下げられる際、該フラッパが上記弾性部材の弾力に抗して作用することにより作動部材を水平ピン周りに回動させるべく機能する作用面と、フラッパが所定の位置まで押下げられた時上記弾性部材の復元弾力をしてフラッパをその位置に維持するロック係止部と、ロックが解除された後上昇途中のフラッパを一時的に係止する一時係止部とを備え、
上記ロック解除手段は、カセット収納部の内壁に設けられた山形突起からなり、該突起は、給紙カセットをカセット収納部に挿入する際、上記作動部材に当接して上記弾性部材の弾力に抗し上記ロック係止部のロック係止を解除させるべく作動部材を回動させると共にロック係止が解除されたフラッパを上記一時係止部に係止させ、その後の挿入動作に伴い、該一時係止をも解除するよう形成されていることを特徴とする画像形成装置。
【発明の詳細な説明】
【技術分野】
【０００１】
本発明は、ファクシミリ装置、複写機或いはプリンタ（これらの複合機も含む）等の画像形成装置に関し、更に詳しくは、記録部に記録紙を供給する為の給紙カセットを、装置本体のカセット収納部に挿脱自在に備える画像形成装置に関する。
【背景技術】
【０００２】
上記給紙カセットは、通常、装置本体のカセット収納部に装着された状態では、収容・堆積された記録紙の上層前端部が給紙ローラ或いは分離爪に弾接するよう、底部に圧縮ばね等の弾性付勢部材によって上向き弾性付勢されたフラッパ（押上板）を備え、更に、記録紙装填に便利なように、フラッパを弾性付勢部材の付勢力に抗して所定の押下げ位置に維持する為のロック手段をも備えている。一方、画像形成装置のカセット収納部には、給紙カセットを挿入する際、上記ロック手段に作用して、ロック解除するロック解除手段が設けられている。
【０００３】
上記のような給紙カセット及びカセット収納部を備える画像形成装置において、記録紙がなくなり或いは少なくなって記録紙を補給する際は、通常、記録紙は満載状態で装填されるから、給紙カセット挿入時のロック解除におけるフラッパの上昇幅は堆積記録紙の層厚分小さくなり、従って、堆積記録紙の上層前端部が給紙ローラ或いは分離爪に弾接する際の衝撃が小さくなる。しかし、記録目的によっては、例えば、汎用のＡ４サイズの記録紙に代え、Ｂ５サイズの記録紙を一時的に装填する必要が生じる場合がある。この場合、Ｂ５サイズの記録紙は必要枚数分だけ装填されることになるから少数枚であり、給紙カセット挿入時のロック解除の際には、フラッパは上記所定の押下げ位置から堆積記録紙の上層前端部が給紙ローラ或いは分離爪に弾接する位置までの大きな上昇幅を、弾性付勢部材の復元弾力を受けて一気に跳ね上がることになる。
【０００４】
その為、上記弾接する際の衝撃及び衝撃音が大きく、これが周辺機構部の毀損を招いたり、記録紙がずれたり、更にはオペレータに不快感や不安感を与えたりする原因となることがあった。特に、記録紙の堆積容量が多い仕様の場合には、上記弾性付勢部材の付勢力が大きく設定され且つ上記上昇幅も大きくなるので、衝撃及び衝撃音が一層大きくなる。このような観点から、特許文献１及び２には、上記ロック解除時のフラッパの上昇の際の衝撃を緩和する手段を備えた給紙カセットが開示されている。
【特許文献１】特開２０００−６２９７１号公報
【特許文献２】特開２００１−２２５９６６号公報
【発明の開示】
【発明が解決しようとする課題】
【０００５】
特許文献１に開示された給紙カセットは、ロック手段及びロック解除手段とは別に、給紙カセット内にフラッパ（押上げプレート）の上昇速度を制御するダンパ機構を備えているが、新たな機構を設けることになるため、給紙カセットの構造が複雑となると共に高価になる点は否めなかった。また、特許文献２に開示された給紙カセットは、フラッパ（押上板）が急激に上昇する際、分離爪に衝突する前にフラッパを係止する規制部材を設けて、分離爪の変形や衝撃音の発生を防止するものであるが、上記規制部材を新たに設ける必要あることや、機構上規制部材に至るフラッパの上昇幅は大きく、その為、規制部材とフラッパとの衝撃及び衝撃音の問題がなお残存することになっていた。
【０００６】
本発明は、上記実情に鑑みなされたものであり、簡単な構成でありながら、給紙カセットを装置本体に挿入する際におけるフラッパのロック解除時の衝撃を緩和し得る新規な画像形成装置を提供することを目的としている。
【課題を解決するための手段】
【０００７】
請求項１の発明に係る画像形成装置は、多数枚の用紙を堆積し得る給紙カセットを、装置本体のカセット収納部に挿脱自在に備える画像形成装置であって、記給紙カセットは、弾性付勢部材によって上向き付勢された上下揺動可能なフラッパと、該フラッパが上記弾性付勢部材の付勢力に抗して押下げられた時、所定の押下げ位置にフラッパを維持するロック手段とを備え、上記カセット収納部内には、給紙カセットが挿入された時、上記ロック手段を解除するロック解除手段が設けられ、上記ロック手段には、上記給紙カセットをカセット収納部に挿入する際、上記フラッパを一時的に係止する一時係止部が形成されていることを特徴とする。
【０００８】
本発明においては、請求項２の発明のように、上記ロック手段とロック解除手段とは、給紙カセットがカセット収納部に挿入される過程において、上記フラッパの所定の押下げ位置でのロックを解除した後上昇途中の位置にフラッパを一時係止部で一時的に係止し、挿入完了時には該係止を解除するような関係に構成されているものとすることができる。この場合、一時係止部を１箇所とすることができるが、これに限らず、係止位置を複数設けることも可能である。そして、一時係止部によるフラッパの一時係止は、請求項３の発明のように、ロック手段が前記ロック解除手段に接触しているときになされるものとすることが望ましい。また、この一時係止部による係止は、請求項４の発明のように、前記フラッパの上下揺動範囲の略中間位置でなされるものとすることが望ましい。
【０００９】
ロック手段及びロック解除手段の望ましい具体的形態としては、請求項５の発明のように、前記ロック手段は、給紙カセットの筐体に水平ピン周りに回動可能に取付けられた作動部材と、該作動部材を待機位置に維持させる弾性部材とよりなり、上記作動部材は、フラッパが押下げられる際、該フラッパが上記弾性部材の弾力に抗して作用することにより作動部材を水平ピン周りに回動させるべく機能する作用面と、フラッパが所定の位置まで押下げられた時上記弾性部材の復元弾力をしてフラッパをその位置に維持するロック係止部と、ロックが解除された後上昇途中のフラッパを一時的に係止する一時係止部とを備え、上記ロック解除手段は、カセット収納部の内壁に設けられた山形突起からなり、該突起は、給紙カセットをカセット収納部に挿入する際、上記作動部材に当接して上記弾性部材の弾力に抗して上記ロック係止部のロック係止を解除させるべく作動部材を回動させると共にロック係止が解除されたフラッパを上記一時係止部に係止させ、その後の挿入動作に伴い、該一時係止をも解除するよう形成されているものとすることができる。
【発明の効果】
【００１０】
請求項１の発明に係る画像形成装置においては、フラッパが所定の押下げ位置でのロックを解除された後上昇途中の位置に一時的に係止されるよう構成されているから、少数枚の記録紙を給紙カセットに装填してカセット収納部に挿入装着させる場合でも、フラッパはロック解除後の上昇途中で一旦係止され、その後、該フラッパに保持された記録紙の前端部が給紙ローラや分離爪等に弾接するよう動作する。従って、この弾接の際の衝撃が大幅に緩和され、しかも、このような衝撃緩和機能は、ロック手段とロック解除手段との構造的関係によって達成されるから、ロック手段及びロック解除手段以外の新たな衝撃緩和機構を設ける必要がなく、部品点数を増やすことなく実現され、コストの増大を来たす懸念がない。特に、ロック手段及びロック解除手段を、請求項２乃至請求項５のいずれかの発明のように構成すれば、構造が簡単であり、実用価値は極めて大である。
【発明を実施するための最良の形態】
【００１１】
以下に本発明の最良の実施の形態について、図面に基づいて説明する。図１は本発明の画像形成装置の一例を示す縦断面図、図２は同要部の拡大縦断面図であり、（ａ）（ｂ）（ｃ）はその動作状態を示し、図３（ａ）（ｂ）（ｃ）は同平面図である。
【実施例】
【００１２】
図１の画像形成装置Ａは、電子写真方式の記録部を備えたプリンタを例に採って示しているが、これに限らず、画像読取装置を備えた複写機、ファクシミリ装置或いはこれらの機能を兼ね備えた所謂複合機等であっても良いことは言うまでもない。図において、画像形成装置Ａの装置本体１は、記録紙（用紙）の給紙部２と、電子写真方式の画像記録部３と、印字後の記録紙の排出部４とが、この順序で高さ方向に層積され、構成されている。
【００１３】
記録紙の給紙部２には、カセット収納部２ａが形成され、該カセット収納部２ａには、多数枚の記録紙を堆積収納し得る給紙カセット５が図１の紙面垂直方向に挿脱可能に装着されている。該給紙カセット５は、その前端部（給紙側）に設置された分離給紙ローラ６と、該分離給紙ローラ６の周面に弾接する分離パッド７と、底面にヒンジピン８ａ介し上下揺動可能に取付けられたフラッパ８と、該フラッパ８の揺動端側を上向きに付勢する圧縮コイルバネ（弾性付勢部材）９と、フラッパ８を所定の押下げ位置に維持する為のロック手段１０とを備えている。更に、図には示さないが、調整自在な記録紙の後端規制部或いは側端規制部等も備えていることは公知の給紙カセットと同様である。上記カセット収納部２ａの前端側（給紙側）内壁２ｂの上記ロック手段１０に対応する位置には、ロック解除手段１１が形設されている。このロック手段１０及びロック解除手段１１の詳細については後記する。
【００１４】
画像記録部３は、感光体ドラム３０の周囲に、帯電器３１、ＬＥＤ等からなる露光器３２、現像器３３、転写ローラ３４及び異物等除去クリーナ３５をこの順序で配したプロセス部と、その下流側の定着器３６とより構成される。これらプロセス部は、露光器３２及び転写ローラ３４を除き一括してプロセスユニットとしてユニット化されているが、ドラムユニットと現像器ユニットとを分離し、これらを装置本体１に対して個別に着脱可能なように構成することも可能である。そして、これらプロセスユニットは、図１における紙面の垂直方向に抜差し可能とされている場合の他、装置本体１の上方に取出し可能とされる場合もある。尚、画像記録部３としては、電子写真方式に限らず、インクジェット方式やバブルジェット（登録商標）方式等の公知の記録方式（カラーも含む）が採用される。
【００１５】
定着器３６の下流側には、切替ゲート４ａ、排出ローラ対４ｂ及び排出トレイ４ｃが連設され、これらによって排出部４が構成される。上記プロセス部の上流側近傍には、レジストローラ対１２が配設され、上記給紙カセット５から、分離給紙ローラ６及び分離パッド７の作用により１枚ずつ分離繰出された記録紙は、該レジストローラ対１２によりレジストされて、前記感光体ドラム３０と転写ローラ３４との対合部に導入される。感光体ドラム３０は図１の矢示方向に回転しながら、帯電器３１によりその表面が一様に帯電され、画像情報に基づく光学画像が露光器３２によって感光体ドラム３０の表面に照射され、感光体ドラム３０の表面には静電潜像が形成される。この静電潜像は、現像器３３で逐次現像されてトナー画像として転写ローラ３４との対合部に至るが、上記レジストローラ対１２は、感光体ドラム３０の表面のトナー画像に同期して記録紙がこの対合部に導入されるようレジスト制御されて回転駆動される。
【００１６】
転写ローラ３４はバイアス印加されており、感光体ドラム３０と対合され且つ矢示方向（感光体ドラム３０とウイズ方向）に回転駆動されながら記録紙をニップ搬送し、この間感光体ドラム３０表面のトナー像が記録紙に転写される。トナー像が転写された記録紙は、定着器３６に導入され、永久画像として定着された後、切替ゲート４ａを押し上げ、排出ローラ対４ｂを経て排出トレイ４ｃ上に排出される。この一連の記録紙の給送は、給紙カセット５からの繰出し直後に略垂直（鉛直）に立ち上がる主用紙搬送路１３を含み、排出ローラ対４ｂでは給紙カセット５からの繰出し方向とは略１８０度の方向にＵターンするような給送パスＰ（図１では一点鎖線で示す）に沿ってなされる。
【００１７】
図例の画像形成装置Ａは、両面記録機能を備えており、上記給送パスＰの切替ゲート４ａの取付け位置から、前記レジストローラ対１２の上流側で上記主用紙搬送路１３に循環合流する反転用紙搬送路１４が形成されている。前記排出ローラ対４ｂは、正逆転可能とされ、また、反転用紙搬送路１４には搬送ローラ対１４ａ、１４ｂが配設されており、両面記録する場合は、上記のように片面記録がされた記録紙が給送パスＰに沿って搬送され、記録紙の後端が排出ローラ対４ｂに至ると、該排出ローラ対４ｂは一旦停止して記録紙の後端をニップする。次いで、排出ローラ対４ｂが逆転し、記録紙はその後端より搬送ローラ対１４ａ、１４ｂによって反転用紙搬送路１４を搬送され、主用紙搬送路１３に合流し、レジストローラ対１２に至る。該レジストローラ対１２によってレジストされて、再度感光体ドラム３０と転写ローラ３４との対合部に導入されてその裏面の記録がなされる。両面記録された記録紙は、その後、上記同様給送パスＰに沿って排出トレイ４ｃ上に排出される。
【００１８】
図例の画像形成装置Ａは、更に記録紙の手差機能を備えており、装置本体１の側部には上下に開閉可能な手差トレイ１５が付設されている。該手差トレイ１５は、使用しない時は、図１の２点鎖線のように閉止され、把手１５ａをして開閉が可能とされている。該手差トレイ１５の前端部には分離給紙ローラ１５ｂと分離パッド１５ｃとが弾接状態で配設され、その更に下流側には主用紙搬送路１３に合流する手差用紙搬送路１６が連設されている。
【００１９】
上記手差トレイ１５を用いて画像記録をする場合、上記把手１５ａをして手差トレイ１５を開け、その上に記録紙をセットし、適宜スタート操作により、手差給紙ローラ１５ｂを作動させる。手差トレイ１５上の記録紙は、分離給紙ローラ１５ｂと分離パッド１５ｃとの作用により１枚ずつ分離されて繰出され、手差用紙搬送路１６を搬送され、主用紙搬送路１３に合流する。その後、レジストローラ対１２によってレジストされて、感光体ドラム３０と転写ローラ３４との対合部に導入されて記録がなされる。手差記録紙に両面記録する場合、記録紙は排出ローラ対４ｂの逆転により、反転用紙搬送路１４を搬送され、上記の通りその裏面記録がなされる。記録が完了した記録紙は、排出ローラ対４ｂによって排出トレイ４ｃ上に排出される。
【００２０】
次に、フラッパ８のロック手段１０及びロック解除手段１１について、図２及び図３をも参照して説明する。給紙カセット５の筐体を構成する前端壁部５ａには開口部５ｂが刳抜き形成され、ロック手段１０はこの開口部５ｂに装備されている。即ち、該開口部５ｂには水平ピン５ｃが固設され、該水平ピン５ｃにその軸心回りに回動可能に作動部材１７が取付けられ、更に、水平ピン５ｃにはトーションバネ（弾性部材）１８が嵌装され、トーションバネ１８の両端は、上記前端壁部５ａ及び作動部材１７に夫々掛止されている。作動部材１７及びトーションバネ１８により、ロック手段１０が構成され、作動部材１７はこのトーションバネ１８の弾力により、図２（ａ）の矢示Ｘ方向に常時回動付勢された状態とされる。前端壁部５ａの内面には、２条の縦ガイドリブ５ｄ、５ｄが形成され、給紙カセット５内に記録紙を装填させる際は、記録紙の前端がこのリブ５ｄ、５ｄに沿うよう揃えられる。
【００２１】
作動部材１７の下端外側部には、ストッパー片１７ａが形成され、作動部材１７にトーションバネ１８の弾力以外の外力が付加されない状態では、該弾力によりこのストッパー片１７ａが上記開口部５ｂの下辺部に当接し、上記回動が阻止され、図２（ａ）及び（ｃ）に示すような起立状態（待機位置）に維持されるようになされている。作動部材１７の内側下半部は給紙カセット５の内方に隆起形成された作用面１７ｂとされ、該作用面１７ｂの下端角部がロック係止部１７ｃとされている。また、作動部材１７の上端には内側に突出する一時係止部１７ｄが形成され、上記作用面１７ｂ及びロック係止部１７ｃと該一時係止部１７ｄとは、水平ピン５ｃの軸心に対して両側に位置するよう形成されている。更に、上記一時係止部１７ｄの背面には、後記する突起１１の作用を受けるカムフォロアとしての突片１７ｅが形成されている。フラッパ８の前端部の作動部材１７に対応する位置には、上記ロック係止部１７ｃ及び一時係止部１７ｄに係止し得る係止用張出片８ｂが延出されている。
【００２２】
カセット収納部２ａの前端側内壁２ｂには、平面視して山形のカムとしての突起（ロック解除手段）１１が固設されている。該突起１１の固設位置は、カセット収納部２ａに給紙カセット５が挿入される際に、上記突片１７ｅと干渉する高さ位置であって、且つ給紙カセット５が正規の収納位置に挿入装着された際には、突片１７ｅより挿入口側になるよう設定されている（図３（ｃ）参照）。
【００２３】
次いで、給紙カセット５をカセット収納部２ａに挿入装着させる際のロック手段１０及びロック解除手段１１の動作について説明する。図２（ａ）及び図３（ａ）は、少数枚の記録紙ｐ…を装填した給紙カセット５を、カセット収納部２ａ内に挿入させる際の初期段階の状態を示す。これに先立ち、オペレータは、給紙カセット５をカセット収納部２ａから抜出し、所望の記録紙ｐ…をその前端が前記ガイドリブ５ｄ、５ｄに揃うようフラッパ８上に置き、前記不図示の後端或いは側端規制部で記録紙ｐ…の後端或いは側端を位置決めし、フラッパ８の前端部側を記録紙ｐ…と共に圧縮コイルバネ９の弾力に抗して押下げる。この押下げ動作によって、フラッパ８は、ヒンジピン８ａを支点としてその前端部側が下方に揺動し、係止用張出片８ｂが作動部材１７の作用面１７ｂに作用する。
【００２４】
この作用面１７ｂに付加された作用力によって、作動部材１７はトーションバネ１８の弾力に抗して、水平ピン５ｃを中心として図２（ａ）の反Ｘ方向に回動するが、フラッパ８を更に押下げることにより、係止用張出片８ｂが作用面１７ｂの下端を過ぎると、上記作用力が開放されて作動部材１７は、トーションバネ１８の復元弾力によってＸ方向に回動し、元の待機位置に復帰する。このように作動部材１７が待機位置に復帰した時には、係止用張出片８ｂがロック係止部１７ｃの下側に潜り込んだ状態となり、且つ係止用張出片８ｂの圧縮コイルバネ９による上向付勢力と、トーションバネ１８のＸ方向の回動付勢力が緊合してこの潜り込んだ状態が安定維持される。従って、オペレータが手放しても、図２（ａ）に示すように、フラッパ８はロック手段１０によって所定の押下げ位置にロック維持される。
【００２５】
上記のように記録紙ｐ…が装填された給紙カセット５を、図３（ａ）（ｂ）の白抜矢示方向に沿ってカセット収納部２ａ内に挿入して行くと、作動部材１７の突片１７ｅが突起１１に当接する。継続して給紙カセット５を挿入すると、突起１１の突片１７ｅに対するカム作用により、作動部材１７は、トーションバネ１８の弾力に抗して、図２（ｂ）に示すように反Ｘ方向に回動する。この回動により、ロック係止部１７ｃによる係止用張出片８ｂの係止ロックが開放され、フラッパ８は圧縮コイルバネ９の付勢力を受けて上向きに揺動する。この時、作動部材１７の反Ｘ方向の回動により、一時係止部１７ｄが係止用張出片８ｂの先端部の上向き揺動軌跡内に変位し、これにより係止用張出片８ｂの先端部が一時係止部１７ｄに係止される。この係止状態は、突起１１の頂面を突片１７ｅが摺動する間維持され、フラッパ８はその上昇途中において、図２（ｂ）に示すように、一時的係止状態に維持される。
【００２６】
その後、更に給紙カセット５を挿入して行くと、図３（ｃ）に示すように、突片１７ｅが突起１１から外れ、その干渉から開放されると共に給紙カセット５が正規の収納位置に装着設置される。その結果、作動部材１７がトーションバネ１８の復元弾力によって、Ｘ方向に回動し、この回動に伴い一時係止部１７ｄによる係止用張出片８ｂの係止が解除されて離脱し、フラッパ８は圧縮コイルバネ１８の付勢力により上向きに揺動し、図２（ｃ）に示すようにその前端側が記録紙Ｐ…と共に分離給紙ローラ６の周面に弾接する。この状態で、分離給紙ローラ６、その下流側の各機後部及びプロセス部を作動させれば、給紙カセット５から１枚ずつ分離給送された記録紙ｐには順次所望の画像が記録され、排出部４ｃに排出される。図３（ｃ）に示すように、給紙カセット５の正規の挿入装着位置では、突起１１が挿入口側で突片１７ｅに当接するようにしておけば、この当接関係によって給紙カセット５の位置決めがなされる。給紙カセット５を取出す際は、突起１１と作動部材１７とは、上記と逆の関係で連係動作するが、フラッパ８は図２（ｃ）の位置にある為、これらの連係動作と関係なく当該位置に維持される。
【００２７】
上記のように、少数枚の記録紙ｐ…が装填された給紙カセット５をカセット収納部２ａ内に挿入装着させる際、ロック解除手段１１によってロック解除されたフラッパ８が、圧縮コイルバネ９の付勢力により上昇（上向き揺動）する過程において、係止用張出片８ｂが一時係止部１７ｄに一時的に係止した後に再び上昇して分離給紙ローラ６の周面に弾接するようになされているから、この弾接時の衝撃は小さく、従って、衝撃音も小さく、また記録紙ｐ…がずれたり周辺機構部の毀損を招いたりするようなことがない。しかも、このような機能は、ロック手段１０とロック解除手段１１の簡易な構造的連繋関係によってなされるものであり、コストアップを来たすことなく容易に実現することができる。
【００２８】
因みに、多数枚の記録紙を装填した給紙カセット５をカセット収納部２ａ内に挿入装着する場合は、突片１７ｅと突起１１との干渉が生じる前に、堆積記録紙の上層前端部が分離給紙ローラ６の周面に弾接し、その状態で静止するから、フラッパ８の上昇幅が小さくしかも堆積記録紙の重量が加わり、弾接時の衝撃も大きくなることがない。そして、このように多数枚の記録紙を装填した給紙カセット５がカセット収納部２ａ内の正規の位置に挿入設置される過程では、突片１７ｅと突起１１との干渉作用により、作動部材１７が上記同様に反Ｘ方向及びＸ方向に回動するが、係止用張出片８ｂが下方位置に維持されるから、一時係止部１７ｄに係止することがない。
【００２９】
尚、図２及び図３では、分離給紙ローラ６及び分離パッド７の図示を一部省略しているが、これらが図１に示すように所定の位置に設置されていることは言うまでもない。また、上記実施例では、分離パッド方式の給紙カセットについて説明したが、分離爪方式或いは両者を併用した分離方式の給紙カセットにも適用可能である。更に、画像形成装置Ａがシングルカセットタイプのプリンタである例について述べたが、マルチカセットタイプのプリンタを除外するものではなく、更に、図１における記録紙カセット５の下に更にオプションカセット等を段積みし得るものであっても良い。
【図面の簡単な説明】
【００３０】
【図１】本発明の画像形成装置の一例を示す縦断面図である。
【図２】同要部の拡大縦断面図であり、（ａ）（ｂ）（ｃ）はその動作状態を示す図である。
【図３】（ａ）（ｂ）（ｃ）は同平面図である。
【符号の説明】
【００３１】
１      装置本体
２ａ    カセット収納部
２ｂ    カセット収納部の内壁
５      給紙カセット
５ａ    給紙カセットの前端壁部（筐体）
５ｃ    水平ピン
８      フラッパ
９      圧縮コイルバネ（弾性付勢部材）
１０    ロック手段
１１    カム状突起（ロック解除手段）
１７    作動部材
１７ｂ  作用面
１７ｃ  ロック係止部
１７ｄ  一時係止部
１８    トーションバネ（弾性部材）
Ａ      画像形成装置
【図１】
2007008684.tif 000003
【図２】
2007008684.tif 000004
【図３】
2007008684.tif 000005